【事件の表示】
　特許第３２３１６３７号「引き戸の下枠」の請求項１ないし３に係る特許に対する特許異議の申立てについて、次のとおり決定する。
【結　論】
　訂正を認める。
　特許第３２３１６３７号の請求項１ないし３に係る特許を維持する。
【理　由】
第１　手続の経緯
　特許第３２３１６３７号の請求項１〜３に係る発明についての出願は、平成８年１０月２９日に特許出願され（優先権主張平成８年６月３日）、平成１３年９月１４日にその発明について特許権の設定登録がなされ、その後、その特許について、異議申立人吉沢スエにより特許異議の申立てがなされ、平成１４年７月３０日付けで取消しの理由が通知され、その指定期間内である平成１４年１０月８日に意見書とともに訂正請求書が提出され（その後取り下げ）、平成１４年１０月２４日付けで再度取消しの理由が通知され、その指定期間内である平成１４年１２月２７日に意見書とともに訂正請求書が提出されたものである。
　
第２　訂正の適否についての判断
１．訂正の内容
　平成１４年１２月２７日付け訂正請求で特許権者が求めている訂正の内容は以下の（１）〜（１７）のとおりである。
（１）訂正事項ａ
　特許請求の範囲を次のとおりに訂正する。
　「【請求項１】　上部見込み片の上面に見込み方向に並列し、上端のレベルが揃えられたレールが形成された下枠において、下枠は最も室内側に位置するレールの室内側の位置で室内側に位置する室内材とその室外側に位置する室外材とに見込み方向に分割され、室内材と室外材が断熱材を介して連結されており、室外材は上部見込み片を含む上部室外材と、その上部見込み片と共に上部見込み片上の水を排出するための中空部を形成する下部見込み片を含む下部室外材とに２分割して製作され、この２分割は、上部見込み片の最も室内寄りのレールの室外側の位置で上部見込み片を分割し、下部見込み片を室外側で分割したものであり、上部室外材の上部見込み片に形成された突起を下部室外材の溝に嵌合させると共に、上部室外材の下部見込み片と下部室外材の下部見込み片を重ねてねじにより連結し、前記上部見込み片に上部見込み片上の水を前記中空部内へ落下させる上部排水孔が下枠の長さ方向に間隔をおいて形成されている引き戸の下枠。
【請求項２】　下部見込み片には中空部内の水を排出する下部排水孔が下枠の長さ方向に間隔をおいて形成されている請求項１記載の引き戸の下枠。
【請求項３】　室外材の最も室内側に位置するレールの下方からは躯体に直接，または間接的に上方から突き当たる見付け片が連続している請求項１または２記載の引き戸の下枠。」
（２）訂正事項ｂ
　明細書の段落〔０００６〕の「下枠を」と「室内側」の間（特許公報２頁左欄１２行）に、「最も室内側に位置するレールの室内側の位置で」を挿入する。
（３）訂正事項ｃ
　明細書の段落〔０００６〕の「室外材には…（中略）…中空部が形成される。（特許公報２頁左欄１８〜１９行）を「室外材は上部見込み片を含む上部室外材と、その上部見込み片と共に上部見込み片上の水を排出するための中空部を形成する下部見込み片を含む下部室外材とに２分割して製作され、この２分割は、上部見込み片の最も室内寄りのレールの室外側の位置で上部見込み片を分割し、下部見込み片を室外側で分割したものであり、上部室外材の上部見込み片に形成された突起を下部室外材の溝に嵌合させると共に、上部室外材の下部見込み片と下部室外材の下部見込み片を重ねてねじにより連結し、前記上部見込み片に上部見込み片上の水を前記中空部内へ落下させる上部排水孔が下枠の長さ方向に間隔をおいて形成されている。」と訂正する。
（４）訂正事項ｄ
　明細書の段落〔０００９〕の１番目と３番目の「排水孔」（特許公報２頁左欄３１行及び３４行）を「上部排水孔」と訂正し、「請求項２では」（特許公報２頁左欄３１行）を削除する。
（５）訂正事項ｅ
　明細書の段落〔０００９〕の「可能にする。」（特許公報２頁左欄３５行）の次に「また、下枠全体の防食加工と、上部見込み片に上部排水孔を明ける便宜より、室外材を上部見込み片を含む上部室外材と、上部見込み片と共に中空部を形成する下部見込み片を含む下部室外材とに２分割して製作し、両室外材を互いに連結して室外材を構成している。」を挿入する。
（６）訂正事項ｆ
　明細書の段落〔００１１〕の「請求項３では」（特許公報２頁左欄４１行）の前に「請求項２では下部見込み片には中空部内の水を排出する下部排水孔が下枠の長さ方向に間隔をおいて形成され、上部見込み片の上部排水孔から中空部内へ落下した水を下部排水孔から排出することができる。」を挿入する。
（７）訂正事項ｇ
　明細書の段落〔００１３〕の「請求項１記載の発明は」（特許公報２頁右欄２行）を「この発明は、」と訂正する。
（８）訂正事項ｈ
　明細書の段落〔００１６〕の記載（特許公報２頁右欄１５〜２０行）を削除する。
（９）訂正事項ｉ
　明細書の段落〔００１８〕の「、図５〜図８では最も室外側に位置する立上り片９が網戸レールを兼ね」を削除する。
（１０）訂正事項ｊ
　明細書の段落〔００１９〕の「が、室外材３は図６に示すように押出し成型で一体的に製作される場合もある」（特許公報２頁右欄４８〜５０行）を削除する。
（１１）訂正事項ｋ
　明細書の段落〔００２２〕ないし〔００２６〕の記載（特許公報３頁左欄１８〜３頁右欄２行）を削除する。
（１２）訂正事項ｌ
　明細書の段落〔００２７〕の「請求項２記載の」（特許公報３頁右欄３行）を「また、この」と訂正し、「請求項１の」（特許公報３頁右欄４行）及び「図５〜図７も請求項２記載の発明の実施例を示す。」を（特許公報３頁右欄８〜９行）を削除する。
（１３）訂正事項ｍ
　明細書の段落〔００２９〕の「請求項２の」（特許公報３頁右欄１３行）及び「、及び図５〜図７」（特許公報３頁右欄１７行）を削除する。
（１４）訂正事項ｎ
　明細書の段落〔００３３〕の「請求項２では」（特許公報３頁右欄３６行）を「また、」と訂正し、「形成できる。」（特許公報３頁右欄３９行）の次に、「　さらに、室外材は上部見込み片を含む上部室外材とその上部見込み片と共に上部見込み片上の水を排出するための中空部を形成する下部見込み片を含む下部室外材とに分割され、上部室外材と下部室外材が互いに連結されて室外材が構成されるようになっているので、下枠全体の防食加工と、上部見込み片に上部排水孔を明けるのに都合がよい。
　請求項２では下部見込み片には中空部内の水を排出する下部排水孔が下枠の長さ方向に間隔をおいて形成されているため、上部見込み片の上部排水孔から中空部内へ落下した水を下部排水孔から排出することができる。」を挿入する。
（１５）訂正事項ｏ
　明細書の図面の簡単な説明の欄の【図５】、【図６】及び【図７】の項全体（特許公報４頁左欄１〜６行）を削除する。
（１６）訂正事項ｐ
　明細書の図面の簡単な説明の欄の【符号の説明】の項の「、１８……アタッチメント、１９……アンカー」（本件特許公報第４頁右欄６〜７行）を削除する。
（１７）訂正事項ｑ
　図面の図５、図６及び図７を削除する。
　
２．訂正の目的の適否、新規事項の有無及び拡張・変更の存否
　上記訂正請求に係る訂正事項ａは、特許請求の範囲の減縮を目的とした明細書の訂正に該当し、訂正事項ｂ〜ｑは、特許請求の範囲の訂正事項ａに対応させたもので、明りょうでない記載の釈明を目的とした明細書及び図面の訂正に該当する。
　そして、この訂正は、願書に添付した明細書又は図面に記載されている事項の範囲内の訂正であり、実質上特許請求の範囲を拡張し、又は変更するものではない。
　
３．むすび
　以上のとおりであるから、上記訂正は、特許法第１２０条の４第２項及び同条第３項において準用する特許法第１２６条第２項及び第３項の規定に適合するので、当該訂正を認める。
　
第３．特許異議申立について
１．申立の理由の概要
　特許異議申立人吉沢スエは、特許第３２３１６３７号の請求項１〜請求項３（全請求項）に係る発明は、甲第１号証〜甲第４号証に記載された発明に基いて当業者が容易に発明できたものであるから、特許法第２９条第２項に規定する発明に該当し、その特許は特許法第１１３条第１項第２号に該当するので取り消されるべきものである旨主張している。
　
２．本件発明
　上記「第２」に記載したように、平成１４年１２月２７日付けの訂正が認められるから、本件特許第３２４６３２１号の請求項１〜請求項３（全請求項）に係る発明は、訂正明細書の特許請求の範囲の請求項１〜請求項３に記載された事項により特定されるとおりのものである。（訂正事項ａ参照）
（以下、訂正後の請求項１〜請求項３に係る発明を「本件発明１」〜「本件発明３」という。）
　
３．刊行物
　刊行物１：実願昭５８−１５７４６９号（実開昭６０−６８１７５号）のマイクロフィルム（甲第２号証に係るマイクロフィルム）
　刊行物２：実願平１−１２６７６５号（実開平３−６６３８４号）のマイクロフィルム（甲第４号証に係る出願のマイクロフィルム）
　刊行物３：実願平４−４８７２３号（実開平６−４２９３号）のマイクロフィルム（甲第１号証に係るマイクロフィルム）
　刊行物４：カタログ「サンシャダン」三協アルミニウム工業株式会社、１９９５年１０月発行、ｐ．２３、４７（甲第３号証）
　
４．刊行物に記載された発明
（１）刊行物１には、以下の記載がある。
「図において、１はサッシ窓枠体であって、・・・室外側枠体３を構成する上枠４と下枠５は内外障子６，７の２本のレール８，８を有し、・・・」（第３頁第１〜５行）
「上下枠１３，１４・・・には、上記係止溝１９部に塩化ビニール等から成る断熱ブリッジ部（樹脂部材）２０が形成され」（第３頁第１７〜１９行）
「室内側の上枠１３と下枠１４、・・・が断熱ブリッジ部２０の室外側端部の傾斜状係合部２３にて夫々対を成す室外側の上枠４と下枠５・・・の係止溝１２に嵌合連結され、その後窓枠体１に組立てられる。」（第４頁第６〜１０行）
「第５図に示す実施例では、窓枠体１は室外側枠体３に係含するアンカー２８を軽量気泡コンクリート（ＡＬＣ）パネル２９から突設された差筋３０に溶接することにより建物閉口部に取付けられている。」（第５頁第１７行〜第６頁第１行）
　また、第１図には、上部見込み片と下部見込み片とで中空部を形成する下枠５の上部見込み片の上面にレール８、８が並列され、下枠５の最も室内側に位置するレール８の下方には、見付け片が形成され、その位置で分割された下枠５と下枠１４が断熱ブリッジ部２０を挟んで連結され全体で引き戸の下枠を形成している状態が示されている。
　上記記載を含む明細書全体の記載及び第１〜８図の記載からみて、刊行物１には次の発明が記載されているものと認められる。
「上部見込み片の上面に見込み方向に並列し、レール８が形成された下枠において、下枠は最も室内側に位置するレールの室内側の位置で室内側に位置する下枠１４とその室外側に位置する下枠５とに見込み方向に分割され、下枠１４と下枠５が断熱ブリッジ部２０を介して連結されており、下枠５は上部見込み片と共に中空部を形成する下部見込み片が形成されている引き戸の下枠。」
　
（２）刊行物２には、以下の記載がある。
「前記アタッチメント２２は・・・上面に順にレール２２ａ・２２ｂ・２２ｃ・・・が上方に突出され、該レール２２ａ・２２ｂ・２２ｃ・・・の上端は同一高さに形成されている。下面の室内側には前記係合部２０ａと係合するための係合部２２ｆが形成され、下面の屋外側にはレール部Ｂの側面に当接して、ネジ２３にて固定できるように突起２２ｇが形成されている。」（明細書第５頁第５〜１５行）
　また、第２図には、上部見込み片を有するアタッチメント２２と下部見込み片を有するサッシ枠１２とで中空部が形成されてされ引き戸の下枠となっている状態が示されている。
　
（３）刊行物３には、以下の記載がある。
「下枠１は図１に示すように室外壁２と室内壁３との上面を段差を設けた敷居皿４で接続し、下面を段差を有する傾斜面で形成した底板５で接続して空間部６を有する形状に形成している。」（段落【０００６】）
「室外壁２の両端及び中央の３個所（図２参照）に水抜孔１９1 ，１９2 ，
１９3 を底板５と接する個所に開口し、敷居皿４の段差部８と室外壁２との間で内外側障子２０，２１の夫々竪框近傍に外側用水抜孔２２1 ，２２2 ，２２3 ，２２4 を設け、敷居皿４の段差部７と仕切り片１５との間で内障子２０の両竪框近傍２個所に内側用水抜孔２３1 ，２３2 を設ける。」（段落【０００９】）
　
（４）刊行物４には、以下の記載がある。
「下枠は結露受けを兼ねた形状で、結露水を確実にキャッチ。室内に流すことなく、水抜き穴から外に排出します。」（第２３頁左欄）
　また、第４７頁の縦断面図には、室内材と室外材が断熱材を介して連結されており、室外材は上部見込み片と共に中空部を形成する下部見込み片を有する下枠が記載されている。
　
５．対比・判断
（１）本件発明１について
　本件発明１と刊行物１記載の発明とを対比すると、刊行物１記載の発明の「レール８」、「下枠１４」、「下枠５」、及び「断熱ブリッジ部２０」は、それぞれ本件発明１の「レール」、「室内材」、「室外材」、及び「断熱材」に相当しているから、両発明は、
「上部見込み片の上面に見込み方向に並列し、レールが形成された下枠において、下枠は最も室内側に位置するレールの室内側の位置で室内側に位置する室内材とその室外側に位置する室外材とに見込み方向に分割され、室内材と室外材が断熱材を介して連結されており、室外材は上部見込み片と共に中空部を形成する下部見込み片が形成されている引き戸の下枠。」
の点で一致しており、以下の点で相違している。
　
相違点１：レールに関して、本件発明１が、上端のレベルが揃えられているのに対し、刊行物１記載の発明は、そのような構成になっていない点。
相違点２：室外材に関して、上部見込み片を含む上部室外材と、その上部見込み片と共に上部見込み片上の水を排出するための中空部を形成する下部見込み片を含む下部室外材とに２分割して製作され、この２分割は、上部見込み片の最も室内寄りのレールの室外側の位置で上部見込み片を分割し、下部見込み片を室外側で分割したものであり、上部室外材の上部見込み片に形成された突起を下部室外材の溝に嵌合させると共に、上部室外材の下部見込み片と下部室外材の下部見込み片を重ねてねじにより連結しているのに対し、刊行物１記載の発明は、上部見込み片と共に中空部を形成する下部見込み片を有するものの分割されておらず、中空部が何のためのものか明記されていない点。
相違点３：上部排水孔に関して、本件発明１が、上部見込み片に上部見込み片上の水を前記中空部内へ落下させる上部排水孔が下枠の長さ方向に間隔をおいて形成されているのに対し、刊行物１記載の発明には、上部排水孔がない点。
　上記相違点２に関し検討する。
　刊行物２には、上部見込み片を有するアタッチメントと下部見込み片を有するサッシ枠とで中空部が形成され、両部材がねじで連結され、引き戸の下枠となることが記載されているものの、上部室外材と、下部室外材とによる室外材の２分割は、上部見込み片の最も室内寄りのレールの室外側の位置で上部見込み片を分割し、下部見込み片を室外側で分割したものであり、上部室外材の上部見込み片に形成された突起を下部室外材の溝に嵌合させると共に、上部室外材の下部見込み片と下部室外材の下部見込み片を重ねてねじにより連結するものである点について、何ら記載も示唆もされていない。
　また、刊行物３、４にも、上記構成が何ら記載も示唆もされていない。
　そして、本件発明１は、上記相違点２に係る構成としたことによって、他の構成と相まって明細書記載の作用効果を奏するものであるから、他の相違点について検討するまでもなく、本件発明１は、上記各刊行物に記載された発明から、当業者が容易に発明をすることができたものとはいえない。
　
（２）本件発明２について
　本件発明２は、本件発明１を限定したものであるから、上記本件発明１についての判断と同様の理由により、上記各刊行物に記載された発明から、当業者が容易に発明をすることができたものとはいえない。
　
（３）本件発明３について
　本件発明３は、本件発明２を更に限定したものであるから、上記本件発明１についての判断と同様の理由により、上記各刊行物に記載された発明から、当業者が容易に発明をすることができたものとはいえない。
　
６．むすび
　以上のとおりであるから、特許異議の申立ての理由によっては、本件発明１〜３についての特許を取り消すことはできない。
　また、他に本件発明１〜３についての特許を取り消すべき理由を発見しない。
　よって、結論のとおり決定する。
【異議決定日】
平成１５年２月１３日（２００３．２．１３）
【訂正の要旨】
訂正事項
ａ．明細書の「特許請求の範囲」の欄を下記の通り訂正する。
「　【請求項１】　上部見込み片の上面に見込み方向に並列し、上端のレベルが揃えられたレールが形成された下枠において、下枠は最も室内側に位置するレールの室内側の位置で室内側に位置する室内材とその室外側に位置する室外材とに見込み方向に分割され、室内材と室外材が断熱材を介して連結されており、室外材は上部見込み片を含む上部室外材と、その上部見込み片と共に上部見込み片上の水を排出するための中空部を形成する下部見込み片を含む下部室外材とに２分割して製作され、この２分割は、上部見込み片の最も室内寄りのレールの室外側の位置で上部見込み片を分割し、下部見込み片を室外側で分割したものであり、上部室外材の上部見込み片に形成された突起を下部室外材の溝に嵌合させると共に、上部室外材の下部見込み片と下部室外材の下部見込み片を重ねてねじにより連結し、前記上部見込み片に上部見込み片上の水を前記中空部内へ落下させる上部排水孔が下枠の長さ方向に間隔をおいて形成されている引き戸の下枠。
　【請求項２】　下部見込み片には中空部内の水を排出する下部排水孔が下枠の長さ方向に間隔をおいて形成されている請求項１記載の引き戸の下枠。
　【請求項３】　室外材の最も室内側に位置するレールの下方からは躯体に直接，または間接的に上方から突き当たる見付け片が連続している請求項１または２記載の引き戸の下枠。」
ｂ．明細書の段落〔０００６〕の「下枠を」と「室内側」の間（特許公報２頁左欄１２行）に、「最も室内側に位置するレールの室内側の位置で」を挿入する。
ｃ．明細書の段落〔０００６〕の「室外材には…（中略）…中空部が形成される。」（特許公報２頁左欄１８〜１９行）を「室外材は上部見込み片を含む上部室外材と、その上部見込み片と共に上部見込み片上の水を排出するための中空部を形成する下部見込み片を含む下部室外材とに２分割して製作され、この２分割は、上部見込み片の最も室内寄りのレールの室外側の位置で上部見込み片を分割し、下部見込み片を室外側で分割したものであり、上部室外材の上部見込み片に形成された突起を下部室外材の溝に嵌合させると共に、上部室外材の下部見込み片と下部室外材の下部見込み片を重ねてねじにより連結し、前記上部見込み片に上部見込み片上の水を前記中空部内へ落下させる上部排水孔が下枠の長さ方向に間隔をおいて形成されている。」と訂正する。
ｄ．明細書の段落〔０００９〕の１番目と３番目の「排水孔」（特許公報２頁左欄３１行及び３４行）を「上部排水孔」と訂正し、「請求項２では」（特許公報２頁左欄３１行）を削除する。
ｅ．明細書の段落〔０００９〕の「可能にする。」（特許公報２頁左欄３５行）の次に「また、下枠全体の防食加工と、上部見込み片に上部排水孔を明ける便宜より、室外材を上部見込み片を含む上部室外材と、上部見込み片と共に中空部を形成する下部見込み片を含む下部室外材とに２分割して製作し、両室外材を互いに連結して室外材を構成している。」を挿入する。
ｆ．明細書の段落〔００１１〕の「請求項３では」（特許公報２頁左欄４１行）の前に「請求項２では下部見込み片には中空部内の水を排出する下部排水孔が下枠の長さ方向に間隔をおいて形成され、上部見込み片の上部排水孔から中空部内へ落下した水を下部排水孔から排出することができる。」を挿入する。
ｇ．明細書の段落〔００１３〕の「請求項１記載の発明は」（特許公報２頁右欄２行）を「この発明は、」と訂正する。
ｈ．明細書の段落〔００１６〕の記載（特許公報２頁右欄１５〜２０行）を削除する。
ｉ．明細書の段落〔００１８〕の「、図５〜図８では最も室外側に位置する立上り片９が網戸レールを兼ね」を削除する。
ｊ．明細書の段落〔００１９〕の「が、室外材３は図６に示すように押出し成型で一体的に製作される場合もある」（特許公報２頁右欄４８〜５０行）を削除する。
ｋ．明細書の段落〔００２２〕、〔００２３〕、〔００２４〕、〔００２５〕及び〔００２６〕の記載（特許公報３頁左欄１８〜３頁右欄２行）を削除する。
ｌ．明細書の段落〔００２７〕の「請求項２記載の」（特許公報３頁右欄３行）を「また、この」と訂正し、「請求項１の」（特許公報３頁右欄４行）及び「図５〜図７も請求項２記載の発明の実施例を示す。」を（特許公報３頁右欄８〜９行）を削除する。
ｍ．明細書の段落〔００２９〕の「請求項２の」（特許公報３頁右欄１３行）及び「、及び図５〜図７」（特許公報３頁右欄１７行）を削除する。
ｎ．明細書の段落〔００３３〕の「請求項２では」（特許公報３頁右欄３６行）を「また、」と訂正し、「形成できる。」（特許公報３頁右欄３９行）の次に、「　さらに、室外材は上部見込み片を含む上部室外材とその上部見込み片と共に上部見込み片上の水を排出するための中空部を形成する下部見込み片を含む下部室外材とに分割され、上部室外材と下部室外材が互いに連結されて室外材が構成されるようになっているので、下枠全体の防食加工と、上部見込み片に上部排水孔を明けるのに都合がよい。
　請求項２では下部見込み片には中空部内の水を排出する下部排水孔が下枠の長さ方向に間隔をおいて形成されているため、上部見込み片の上部排水孔から中空部内へ落下した水を下部排水孔から排出することができる。」を挿入する。
ｏ．明細書の図面の簡単な説明の欄の【図５】、【図６】及び【図７】の項全体（特許公報４頁左欄１〜６行）を削除する。
ｐ．明細書の図面の簡単な説明の欄の【符号の説明】の項の「、１８……アタッチメント、１９……アンカー」（本件特許公報第４頁右欄６〜７行）を削除する。
ｑ．図面の図５、図６及び図７を削除する。
（５４）【発明の名称】
引き戸の下枠
（５７）【特許請求の範囲】
　【請求項１】　上部見込み片の上面に見込み方向に並列し、上端のレベルが揃えられたレールが形成された下枠において、下枠は
最も室内側に位置するレールの室内側の位置で
おり
は上部見込み片を含む上部室外材と、その上部見込み片と共に
を形成する下部見込み片を含む下部室外材とに２分割して製作され、この２分割は、上部見込み片の最も室内寄りのレールの室外側の位置で上部見込み片を分割し、下部見込み片を室外側で分割したものであり、上部室外材の上部見込み片に形成された突起を下部室外材の溝に嵌合させると共に、上部室外材の下部見込み片と下部室外材の下部見込み片を重ねてねじにより連結し、前記上部見込み片に上部見込み片上の水を前記中空部内へ落下させる上部排水孔が下枠の長さ方向に間隔をおいて形成されている
　【請求項２】　
下部見込み片には中空部内の水を排出する下部排水孔が下枠の長さ方向に間隔をおいて形成されている請求項１記載の引き戸の下枠。
　【請求項３】　室外材の最も室内側に位置するレールの下方からは躯体に直接，または間接的に上方から突き当たる見付け片が連続している請求項
１または２
【発明の詳細な説明】
　【０００１】
　【発明の属する技術分野】
　この発明はバリアフリーに対応した引き戸の下枠に関するものである。
　【０００２】
　【従来の技術及び発明が解決しようとする課題】
　引き戸の下枠上を車椅子が支障なく通過できるようにする場合、特開平５−３３２０６８号，実開平１−１１８０７５号，実公平７−１６８７７号のようにレールの上端が床面のレベルに揃えられるが、相対的に、レールが形成される上部見込み片の上面が床面より下に位置するため、テラス戸の下枠のように屋外に面する下枠は雨水の吹き込みにより雨水を溜め易くなる。
　【０００３】
　また屋外に面する結果、室内と室外の温度差が大きくなる場合には下枠の室内側に結露が生ずるため結露水の処理も問題になる。
　【０００４】
　室外寄りの上部見込み片上に溜まった雨水は見込み片に排水孔を明け、その下に排水路を形成することで排出することができるが、例えば実公平７−１６８７７号のように見込み片の室内寄りが躯体の上に位置する場合、下枠の室内側に生じた結露水は見込み片の下を通じて処理されないため、見込み片上に溜まり易い。
　【０００５】
　この発明は車椅子の通行に対応した下枠における結露水の問題を解消する下枠を提案するものである。
　【０００６】
　【課題を解決するための手段】
　請求項１では下枠を
最も室内側に位置するレールの室内側の位置で
　
室外材は上部見込み片を含む上部室外材と、その上部見込み片と共に上部見込み片上の水を排出するための中空部を形成する下部見込み片を含む下部室外材とに２分割して製作され、この２分割は、上部見込み片の最も室内寄りのレールの室外側の位置で上部見込み片を分割し、下部見込み片を室外側で分割したものであり、上部室外材の上部見込み片に形成された突起を下部室外材の溝に嵌合させると共に、上部室外材の下部見込み片と下部室外材の下部見込み片を重ねてねじにより連結し、前記上部見込み片に上部見込み片上の水を前記中空部内へ落下させる上部排水孔が下枠の長さ方向に間隔をおいて形成されている
　【０００７】
　下枠の上部見込み片の上面には見込み方向に並列するレールが形成される。レールの上端のレベルは揃えられ、車椅子通過時の衝撃が緩和される。
　【０００８】
　下枠が見込み方向に分割され、分割された室内材と室外材が断熱材によって連結されることにより室外材と室内材間での熱の伝導が抑制され、室内材における結露発生の可能性が低下し、上部見込み片の上面が床面より下に位置することによる結露水の溜まりは防止される。
　【０００９】
　バリアフリーに対応した下枠の上部見込み片にはその上に溜まる雨水を中空部を通じて排出するための
上部
ら、下
上部
　
また、下枠全体の防食加工と、上部見込み片に上部排水孔を明ける便宜より、室外材を上部見込み片を含む上部室外材と、上部見込み片と共に中空部を形成する下部見込み片を含む下部室外材とに２分割して製作し、両室外材を互いに連結して室外材を構成している。
　【００１０】
　また並列するレール間に、レール間への車椅子の車輪の落下を防止するために、レールの上端と同等の高さの立上り片を形成したい場合、断熱材が最も室内側に位置するレールの室内側に位置することによりレール間に立上り片を形成することは許容される。
　【００１１】
　
請求項２では下部見込み片には中空部内の水を排出する下部排水孔が下枠の長さ方向に間隔をおいて形成され、上部見込み片の上部排水孔から中空部内へ落下した水を下部排水孔から排出することができる。
　請求項３では室外材の最も室内側に位置するレールの下方から、躯体に直接，または間接的に上方から突き当たる見付け片を連続させることにより室外材のレールに車椅子の車輪が載ったときの車椅子の荷重による室外材と室内材の相対変形を防止する。
　【００１２】
　この場合、下枠上を車椅子が移動し、室外材の最も室内側に位置するレールに車輪が載ったとき、見付け片によって車椅子の荷重は躯体に支持されるため、室外材が室内材に対して沈み込むことはなく、断熱材による室内材と室外材の連結状態は維持される。
　【００１３】
　【発明の実施の形態】
　
この発明は、
　【００１４】
　下枠１の上部見込み片５の上面には見込み方向に並列し、上端のレベルが同一に、あるいはほとんど同一に揃えられた、引き戸の枚数分のレール６が形成される。
　【００１５】
　図１は図２に示すように下枠１が屋外に面し、開口部に対して半外付け状態で取り付けられる場合を示す。上部見込み片５の下方にはその上に存在する水を排出するための中空部７が形成される。中空部７は断熱材４の室外側に位置する室外材３に形成される。
　【００１６】
　【００１７】
　下枠１の構成材として押出し成型された形材は上部見込み片５の位置で切断されることにより、または上部見込み片５と下部見込み片８の位置で切断されることにより見込み方向に室内材２と室外材３とに分割され、その分割位置に断熱材４が挟み込まれることにより下枠１が製作される。断熱材４が樹脂の成型品の場合は分断された上部見込み片５や下部見込み片８間に断熱材４を挟み込み、切断部分をかしめることにより、樹脂の溶液の場合は蓋をした状態で注入し、硬化させることにより室内材２と室外材３間に挟み込まれる。
　【００１８】
　隣接するレール６，６間と、最も室内側のレール６と室内の床面間、及び最も室外側のレール６と室外の床面間にはレール６の高さと同等の高さの立上り片９が形成される。立上り片９はレール６，６間と、レール６と床面間で車椅子の車輪を支持することにより車輪が落ち込むことを防止し、車椅子が下枠１上を通過するときの車輪の上下動を低減する。レール６と立上り片９間の間隔と、レール６と床面間の間隔は車輪が横向きになっても落ち込まない程度に設定される。図１，図２では室外側から２番目の立上り片９が網戸レールを兼
ねる
　【００１９】
　図１〜図３ではまた、下枠１全体の防食加工と、上部見込み片５に上部排水孔１２を明ける便宜より、室外材３を上部見込み片５を含む上部室外材３１と、上部見込み片５と共に中空部７を形成する下部見込み片８を含む下部室外材３２とに２分割して製作し、両室外材３１，３２を互いに連結して室外材３を構成してい
る。
　【００２０】
　図１〜図３に示す場合は上部室外材３１と下部室外材３２を連結するためのねじ１７の使用を減らす目的で、上部見込み片５の最も室内寄りのレール６の室外側の位置で上部見込み片５を分割し、下部見込み片８を室外側で分割し、上部室外材３１の上部見込み片５に形成された突起１０を下部室外材３２の溝１１に嵌合させると共に、上部室外材３１の下部見込み片８と、下部室外材３２の下部見込み片８を重ねてねじ１７により連結している。
　【００２１】
　上部見込み片５と下部見込み片８とによって中空部７が形成される場合、上部見込み片５の、最も室外寄りのレール６から最も室内寄りのレール６までの間で、レール６と立上り片９で挟まれた部分には上部見込み片５上の水を中空部７内へ落下させる上部排水孔１２が下枠１の長さ方向に間隔をおいて形成され、互いに重なる下部見込み片８，８には中空部７内の水を排出する下部排水孔１３が同様に形成される。図２中、１４はテラスのデッキを支持する枠材を示す。
　【００２２】
　【００２３】
　【００２４】
　【００２５】
　【００２６】
　【００２７】
　
また、この
り、下
る。
　【００２８】
　図１は図２〜図４に示すように２枚建ての場合を示すが、３枚建ての場合、下枠１は室外材３に３本のレール６が形成される形になる。
　【００２９】
　請求項３記載の発明
は下
３は
　【００３０】
　玄関引き戸として使用される下枠１は、土間コンクリートに定着されるアンカー１９に下枠１が接続されることにより土間コンクリートに支持される。
　【００３１】
　この発明では室外材３の見付け片１５によって室外材３上に載る障子の荷重の他、室外材３上を通過する車椅子の荷重が躯体に支持されるため、室外材３のみに加わる荷重によって室外材３が室内材２に対して沈み込むことはない。
　【００３２】
　【発明の効果】
　請求項１ではレールの上端のレベルを揃えると同時に、下枠を室内側に位置する室内材とその室外側に位置する室外材とに見込み方向に分割し、室内材と室外材を断熱材を介して連結してあるため、車椅子の通行を円滑にしながら、下枠がヒートブリッジになることによる室内側での結露の発生を防止でき、見込み片の上面が床面より下に位置することによる結露水の溜まりを防止できる。
　【００３３】
　
また、下
　
さらに、室外材は上部見込み片を含む上部室外材とその上部見込み片と共に上部見込み片上の水を排出するための中空部を形成する下部見込み片を含む下部室外材とに分割され、上部室外材と下部室外材が互いに連結されて室外材が構成されるようになっているので、下枠全体の防食加工と、上部見込み片に上部排水孔を明けるのに都合がよい。
　
請求項２では下部見込み片には中空部内の水を排出する下部排水孔が下枠の長さ方向に間隔をおいて形成されているため、上部見込み片の上部排水孔から中空部内へ落下した水を下部排水孔から排出することができる。
　【００３４】
　請求項３では室外材の最も室内側に位置するレールの下方から、躯体に直接，または間接的に上方から突き当たる見付け片を連続させているため、室外材のレールに車椅子の車輪が載ったときの車椅子の荷重による室外材と室内材の相対変形を防止でき、断熱材による室内材との連結状態を維持できる。
【図面の簡単な説明】
　【図１】
　下枠を示した縦断面図である。
　【図２】
　下枠の使用状態を示した縦断面図である。
　【図３】
　図２の横断面図である。
　【図４】
　下枠を含むサッシ枠を示した立面図であ
る。
　【符号の説明】
　１……下枠、２……室内材、３……室外材、３１……上部室外材、３２……下部室外材、４……断熱材、５……上部見込み片、６……レール、７……中空部、８……下部見込み片、９……立上り片、１０……突起、１１……溝、１２……上部排水孔、１３……下部排水孔、１４……枠材、１５……見付け片、１６……窓台、１７……ね
じ。